【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
被検体を保持する保持部材と、
前記保持部材に対向する対向面と前記対向面の上端に連なる上面とを有する筺体と、前記対向面に位置する探触子と、前記対向面と前記保持部材との間にマッチング液を収容する収容空間を形成するように、前記対向面に接続され前記保持部材に接触されるマッチング液収容部材と、を備える探触子ユニットと、
を有する被検体情報取得装置であって、
前記対向面は前記収容空間に前記マッチング液を供給する供給口を備え、前記マッチング液収容部材は前記供給口と前記上面との間に開口を有し、
前記収容空間から前記開口を介して溢れ出た前記マッチング液を、前記保持部材の側へ導くためのガイドが、前記探触子ユニットに設けられていることを特徴とする被検体情報取得装置。
【請求項２】
前記ガイドは、前記筐体に設けられ、前記上面から記保持部材の側に前記マッチング液を導くことを特徴とする請求項１に記載の被検体情報取得装置。
【請求項３】
前記保持部材から遠ざかる側に向かって前記探触子から延在しているケーブルをさらに有し、
前記ガイドは、前記ケーブル上に前記マッチング液がこぼれないように、前記ケーブルに向かう前記マッチング液の流れを制限することを特徴とする請求項１又は２に記載の被検体情報取得装置。
【請求項４】
前記ガイドは、前記筐体に設けられた溝を有していることを特徴とする請求項１乃至３のいずれか１項に記載の被検体情報取得装置。
【請求項５】
前記ガイドは、前記被検体を保持した際の前記被検体保持部材の形状に応じて、少なくとも一部が変形することを特徴とする請求項１乃至４のいずれか１項に記載の被検体情報取得装置。
【請求項６】
前記探触子ユニットは、前記収容空間に収容された前記マッチング液を検知するセンサを前記対向面に有していることを特徴とする請求項１乃至５のいずれか１項に記載の被検体情報取得装置。
【請求項７】
前記センサは、前記収容空間に収容された前記マッチング液の液面の位置を検出することを特徴とする請求項６に記載の被検体情報取得装置。
【請求項８】
前記センサは、前記収容空間が前記マッチング液で満たされたか否かを判定するように、前記探触子より上方に位置していることを特徴とする請求項６または７に記載の被検体情報取得装置。
【請求項９】
前記センサは、前記開口より低く位置していることを特徴とする請求項６乃至８のいずれか１項に記載の被検体情報取得装置。
【請求項１０】
前記センサは、前記被検体から前記探触子に音響波が伝搬されるに十分な量の前記マッチング液が前記収容空間に収容されているか否かを判定するように、前記探触子より上方に設けられていることを特徴とする請求項６乃至９のいずれか１項に記載の被検体情報取得装置。
【請求項１１】
前記探触子は、前記収容空間に収容された前記マッチング液と前記保持部材とを介して前記被検体から伝搬される音響波を受信することを特徴とする請求項１乃至１０のいずれか１項に記載の被検体情報取得装置。
【請求項１２】
前記探触子ユニットは、前記保持部材に対して相対移動されることを特徴とする請求項１乃至１１のいずれか１項に記載の被検体情報取得装置。
【請求項１３】
前記開口は、前記収容空間に収容された前記マッチング液内に残留する気泡を脱泡するように前記対向面の上方に設けられることを特徴とする請求項１乃至１２のいずれか１項に記載の被検体情報取得装置。
【請求項１４】
前記上端は、鉛直方向における前記対向面の最上端に位置していることを特徴とする請求項１乃至１３のいずれか１項に記載の被検体情報取得装置。
【請求項１５】
被験者が伏臥位をとることが可能な検査台をさらに有し、
前記検査台は、前記保持部材より上方に前記被検体を下方に向けて挿入可能な貫通孔を有していることを特徴とする請求項１乃至１４のいずれか１項に記載の被検体情報取得装置。
【請求項１６】
被検体を保持する保持部材と、
前記保持部材に対向する対向面、前記対向面に設けられた探触子、前記保持部材と前記対向面との間にマッチング液が収容される収容空間を形成するように前記保持部材に接し前記対向面に固定されたマッチング液収容部材、および、前記収容空間に前記マッチング液を供給する供給口を備える探触子ユニットと、
を有する生体情報取得装置であって、
前記マッチング液収容部材は、前記供給口より上方に開口を有し、
前記探触子ユニットは、前記開口を介して前記収容空間から溢れ出た前記マッチング液を前記保持部材に導くガイドを有していることを特徴とする生体情報取得装置。
【請求項１７】
前記保持部材から遠ざかる側に向かって前記探触子から延在しているケーブルをさらに有し、
前記ガイドは、前記ケーブル上に前記マッチング液がこぼれないように、前記ケーブルに向かう前記マッチング液の流れを制限することを特徴とする請求項１６に記載の生体情報取得装置。
【請求項１８】
前記探触子ユニットは、前記収容空間に収容された前記マッチング液を検知するセンサを、前記対向面に有していることを特徴とする請求項１乃至５のいずれか１項に記載の被検体情報取得装置。
【請求項１９】
前記センサは、前記収容空間に収容された前記マッチング液の液面の位置を検出する事を特徴とする請求項１８に記載の被検体情報取得装置。
【請求項２０】
前記センサは、前記収容空間が前記マッチング液で満たされたか否かを判定するように、前記探触子より上方に位置していることを特徴とする請求項１８または１９に記載の被検体情報取得装置。
【請求項２１】
開口を有した検査台と、
前記開口の下方において被検体を保持する保持部材と、
前記保持部材に対向し前記保持部材から離間している対向面を有する基材と、内部にマッチング液が収容される収容空間を形成するように前記対向面に固定されたマッチング収容部材と、前記収容空間に収容された前記マッチング液を介して前記被検体から伝搬する音響波を受信するように前記対向面に固定された探触子と、前記対向に設けられた供給口と、を有する探触子ユニットと、
前記探触子ユニットから排出された前記マッチング液を貯留するタンクと、前記タンクから前記収容空間内に前記マッチング液を供給するように前記供給口と前記タンクとに接続されたポンプと、を有するマッチング液循環ユニットと、
を有する生体情報取得装置であって、
前記マッチング液収容部材は、前記探触子よりも前記検査台に近接している位置に開口を有し、
前記探触子ユニットは、前記開口を介して前記収容空間から漏出した前記マッチング液を前記タンクに向けて導くガイドを備えていることを特徴とする生体情報取得装置。
【手続補正２】
【補正対象書類名】明細書
【補正対象項目名】０００６
【補正方法】変更
【補正の内容】
【０００６】
上記課題を解決するため、本発明の被検体情報取得装置は、
被検体を保持する保持部材と、
前記保持部材に対向する対向面と前記対向面の上端に連なる上面とを有する筺体と、前記対向面に位置する探触子と、前記対向面と前記保持部材との間にマッチング液を収容する収容空間を形成するように、前記対向面に接続され前記保持部材に接触されるマッチング液収容部材と、を備える探触子ユニットと、を有する被検体情報取得装置であって、
前記対向面は前記収容空間に前記マッチング液を供給する供給口を備え、前記マッチング液収容部材は前記供給口と前記上面との間に開口を有し、前記収容空間から前記開口を介して溢れ出た前記マッチング液を、前記保持部材の側へ導くためのガイドが、前記探触子ユニットに設けられていることを特徴とする。